【手続補正書】
【提出日】令和1年12月23日(2019.12.23)
【手続補正１】
【補正対象書類名】特許請求の範囲
【補正対象項目名】全文
【補正方法】変更
【補正の内容】
【特許請求の範囲】
【請求項１】
局のためのワイヤレス通信の方法であって、
フレームを送信するための前記局におけるアンテナの数、前記局によって前記フレームを送信するために使用されるストリームの数、または前記フレームを送信するための前記局におけるアンテナの前記数と前記局によって前記フレームを送信するために使用されるストリームの前記数の両方、のうちのいずれに基づいて、サイクリックシフト遅延(CSD)を用いて前記フレームを送信するかを決定するステップと、
ビーム変化値が1またはゼロのどちらに等しいかを決定するステップであって、前記ビーム変化値が、前記フレームの異なるフィールド間のチャネル条件の変化を示すために1に等しく、前記ビーム変化値が、前記チャネル条件の無変化を示すためにゼロに等しい、ステップと、
前記ビーム変化値が1またはゼロのどちらに等しいかに基づいて、および前記フレームを送信するための前記局におけるアンテナの前記数、前記局によって前記フレームを送信するために使用されるストリームの前記数、または前記フレームを送信するための前記局におけるアンテナの前記数と前記局によって前記フレームを送信するために使用されるストリームの前記数の両方、のうちのいずれに基づいて、前記CSDを用いて前記フレームを送信すると決定されるかに基づいて、前記フレームの第1の部分に関連付けられた情報の第1のセットを送信するためのCSD値の第1のセットを決定するステップと、
前記ビーム変化値が1またはゼロのどちらに等しいかに基づいて、および前記フレームを送信するための前記局におけるアンテナの前記数、前記局によって前記フレームを送信するために使用されるストリームの前記数、または前記フレームを送信するための前記局におけるアンテナの前記数と前記局によって前記フレームを送信するために使用されるストリームの前記数の両方、のうちのいずれに基づいて、前記CSDを用いて前記フレームを送信すると決定されるかに基づいて、前記フレームの第2の部分に関連付けられた情報の第2のセットを送信するためのCSD値の第2のセットを決定するステップであって、CSD値の前記第2のセットがCSD値の前記第1のセットと異なる、ステップと、
アンテナの前記数、ストリームの前記数、またはアンテナの前記数とストリームの前記数の両方を使用して、CSD値の前記第1のセットに基づく情報の前記第1のセットおよびCSD値の前記第2のセットに基づく情報の前記第2のセットを送信するステップとを含む、方法。
【請求項２】
前記ビーム変化値がゼロに等しいときに前記数のストリーム内の各ストリームに対するストリームCSD値を決定するステップであって、各ストリームに対する前記ストリームCSD値がCSD値の前記第1のセットおよびCSD値の前記第2のセットである、ステップと、
前記フレームの前記第1の部分および前記フレームの前記第2の部分に各ストリームに対する前記ストリームCSD値を適用するステップとをさらに含む、請求項1に記載の方法。
【請求項３】
前記数のアンテナ内の各アンテナに対するアンテナCSD値を決定するステップと、
各アンテナによって送信された前記フレームの前記第1の部分および前記フレームの前記第2の部分に各アンテナに対する前記アンテナCSD値を適用するステップとをさらに含む、請求項2に記載の方法。
【請求項４】
前記ビーム変化値が1に等しいときに前記数のアンテナ内の各アンテナに対するアンテナCSD値と前記数のアンテナ内の各アンテナに対するストリームCSD値とを決定するステップであって、各アンテナに対する前記アンテナCSD値がCSD値の前記第1のセットであり、各ストリームに対する前記ストリームCSD値がCSD値の前記第2のセットである、ステップと、
前記フレームの前記第1の部分に各アンテナに対する前記アンテナCSD値を適用し、前記フレームの前記第2の部分に各アンテナに対する前記ストリームCSD値を適用するステップとをさらに含む、請求項1に記載の方法。
【請求項５】
前記フレームがトリガベースフレームまたは非トリガベースフレームのどちらであるかを決定するステップをさらに含む、請求項3に記載の方法。
【請求項６】
前記フレームがトリガベースであると決定されるとき、CSD値の前記第1のセットを取得するために、各ストリームに対する前記ストリームCSD値と1より大きい整数とを乗算するステップをさらに含み、
前記乗算後にCSD値の前記第1のセット内の各値を、ある割合だけ低減するステップを特にさらに含む、請求項5に記載の方法。
【請求項７】
ベクトルCSDオフセットを決定するステップと、
CSD値の前記第2のセットを取得するために、前記決定されたベクトルCSDオフセットに基づいて各アンテナに対する前記アンテナCSD値を修正するステップとをさらに含む、請求項3に記載の方法。
【請求項８】
各アンテナごとのCSD値がランダムに適用され、前記方法が、
情報の前記第1のセットの再送信に関連付けられた空間拡張マトリックスを変更するステップをさらに含む、請求項3に記載の方法。
【請求項９】
前記フレームの前記第1の部分がプリ高効率(プリHE)被変調フィールドを含み、前記フレームの前記第2の部分がHE被変調フィールドまたはデータフィールドである、請求項1に
記載の方法。
【請求項１０】
基地局からトリガを受信するステップをさらに含み、
前記トリガが、アップリンクマルチユーザ多入力多出力シナリオにおいて割り振られたストリームの数またはアンテナの数に基づくインデックスを含み、
前記インデックスが、グローバルインデックスまたはローカルインデックスのうちの1つであり、
CSD値の前記第1のセットが、前記インデックスに基づいて決定される、請求項1に記載の方法。
【請求項１１】
ワイヤレス通信のための装置であって、
フレームを送信するための局におけるアンテナの数、前記局によって前記フレームを送信するために使用されるストリームの数、または前記フレームを送信するための前記局におけるアンテナの前記数と前記局によって前記フレームを送信するために使用されるストリームの前記数の両方、のうちのいずれに基づいて、サイクリックシフト遅延(CSD)を用いて前記フレームを送信するかを決定するための手段と、
ビーム変化値が1またはゼロのどちらに等しいかを決定するための手段であって、前記ビーム変化値が、前記フレームの異なるフィールド間のチャネル条件の変化を示すために1に等しく、前記ビーム変化値が、前記チャネル条件の無変化を示すためにゼロに等しい、手段と、
前記ビーム変化値が1またはゼロのどちらに等しいかに基づいて、および前記フレームを送信するための前記局におけるアンテナの前記数、前記局によって前記フレームを送信するために使用されるストリームの前記数、または前記フレームを送信するための前記局におけるアンテナの前記数と前記局によって前記フレームを送信するために使用されるストリームの前記数の両方、のうちのいずれに基づいて、前記CSDを用いて前記フレームを送信すると決定されるかに基づいて、前記フレームの第1の部分に関連付けられた情報の第1のセットを送信するためのCSD値の第1のセットを決定するための手段と、
前記ビーム変化値が1またはゼロのどちらに等しいかに基づいて、および前記フレームを送信するための前記局におけるアンテナの前記数、前記局によって前記フレームを送信するために使用されるストリームの前記数、または前記フレームを送信するための前記局におけるアンテナの前記数と前記局によって前記フレームを送信するために使用されるストリームの前記数の両方、のうちのいずれに基づいて、前記CSDを用いて前記フレームを送信すると決定されるかに基づいて、前記フレームの第2の部分に関連付けられた情報の第2のセットを送信するためのCSD値の第2のセットを決定するための手段であって、CSD値の前記第2のセットがCSD値の前記第1のセットと異なる、手段と、
アンテナの前記数、ストリームの前記数、またはアンテナの前記数とストリームの前記数の両方を使用して、CSD値の前記第1のセットに基づく情報の前記第1のセットおよびCSD値の前記第2のセットに基づく情報の前記第2のセットを送信するための手段と
を含む前記局を含む、装置。
【請求項１２】
前記ビーム変化値がゼロに等しいときに前記数のストリーム内の各ストリームに対するストリームCSD値を決定するための手段であって、各ストリームに対する前記ストリームCSD値がCSD値の前記第1のセットおよびCSD値の前記第2のセットである、手段と、
前記フレームの前記第1の部分および前記フレームの前記第2の部分に各ストリームに対する前記ストリームCSD値を適用するための手段とをさらに含む、請求項11に記載の装置。
【請求項１３】
前記数のアンテナ内の各アンテナに対するアンテナCSD値を決定するための手段と、
各アンテナによって送信された前記フレームの前記第1の部分および前記フレームの前記第2の部分に各アンテナに対する前記アンテナCSD値を適用するための手段とをさらに含む、請求項12に記載の装置。
【請求項１４】
前記ビーム変化値が1に等しいときに前記数のアンテナ内の各アンテナに対するアンテナCSD値と前記数のアンテナ内の各アンテナに対するストリームCSD値とを決定するための手段であって、各アンテナに対する前記アンテナCSD値がCSD値の前記第1のセットであり、各ストリームに対する前記ストリームCSD値がCSD値の前記第2のセットである、手段と、
前記フレームの前記第1の部分に各アンテナに対する前記アンテナCSD値を適用し、前記フレームの前記第2の部分に各アンテナに対する前記ストリームCSD値を適用するための手段とをさらに含む、請求項11に記載の装置。
【請求項１５】
コンピュータによって実行されると請求項1から10のいずれか一項に記載の方法のステップを実行するための命令を備えるコンピュータプログラム。